(57)【要約】【課題】なるべく少ない水量で、プラスチックから紙類を効率よく分離させることができる紙分離装置を提供する。【解決手段】紙類が付着したプラスチックから紙類を分離させる紙分離装置１であって、水ａを溜める容器１０と、容器１０内に挿入された攪拌羽１５と、容器１０の内壁に取付けられた抵抗羽２０と、攪拌羽１５を容器１０内で回転させる回転駆動機構１６を有することを特徴とする。本発明の紙分離装置１によれば、従来に比べて少ない水量で、プラスチックから紙類を効率よく分離させることができる。【選択図】図３
2009023222.tif 000002
【特許請求の範囲】
【請求項１】
紙類が付着したプラスチックから紙類を分離させる紙分離装置であって、
水を溜める容器と、
前記容器内に挿入された攪拌羽と、
前記容器の内壁に取付けられた抵抗羽と、
前記攪拌羽を前記容器内で回転させる回転駆動機構を有することを特徴とする、プラスチックの紙分離装置。
【請求項２】
前記容器の上部に水の供給口が設けられ、前記容器の下部に水の排出口が設けられていることを特徴とする、請求項１に記載のプラスチックの紙分離装置。
【請求項３】
前記攪拌羽は、回転軸に複数の丸棒を垂直に取付けた構成であることを特徴とする、請求項１または２に記載のプラスチックの紙分離装置。
【請求項４】
前記抵抗羽は、前記容器の内壁に複数の丸棒を垂直に取付けた構成であることを特徴とする、請求項１〜３のいずれかに記載のプラスチックの紙分離装置。
【請求項５】
請求項１〜４のいずれかに記載の紙分離装置を用いて、紙類が付着したプラスチックから紙類を分離させる紙分離方法。
【発明の詳細な説明】
【技術分野】
【０００１】
本発明は、紙類が付着したプラスチックから紙類を分離させる紙分離装置に関する。
【背景技術】
【０００２】
例えば廃棄物処理においては、金属廃棄物、プラスチック廃棄物を適宜分別した後、廃棄物の種類に応じた再生利用が行われている。プラスチック製品は各種容器など様々な用途に用いられるが、プラスチックに紙類が付着した状態となっているものも少なくない。かかる場合、プラスチックに紙類が付着したままでは、再生成形材料や助燃材料として利用できないので、再生利用のために、プラスチックから異物である紙類を十分に分離させる必要が生ずる。
【０００３】
そこで従来、例えば特開２００３−１２７１４１号公報に、廃プラスチックから紙類を分別処理する技術が開示されている。この特開２００３−１２７１４１号公報に開示された技術では、廃プラスチックに対して１．５〜５重量倍の水を供給して揉み洗いすることにより、廃プラスチックに付着した紙類を膨潤させた後、更に、廃プラスチックに対して２３〜３５重量倍の水を供給して、膨潤させた紙類を洗い流すようにしている。
【０００４】
【特許文献１】特開２００３−１２７１４１号公報
【発明の開示】
【発明が解決しようとする課題】
【０００５】
しかしながら、特開２００３−１２７１４１号公報に開示された技術では、紙類を分別するために多量の水が必要であり、不経済であると共に、分別後における水処理等の負担が大きかった。本発明の目的は、なるべく少ない水量で、プラスチックから紙類を効率よく分離させることができる紙分離装置を提供することにある。
【課題を解決するための手段】
【０００６】
本発明によれば、紙類が付着したプラスチックから紙類を分離させる紙分離装置であって、水を溜める容器と、前記容器内に挿入された攪拌羽と、前記容器の内壁に取付けられた抵抗羽と、前記攪拌羽を前記容器内で回転させる回転駆動機構を有することを特徴とする、プラスチックの紙分離装置が提供される。
【０００７】
この紙分離装置において、前記容器の上部に水の供給口が設けられ、前記容器の下部に水の排出口が設けられていても良い。また、前記攪拌羽は、回転軸に複数の丸棒を垂直に取付けた構成であっても良い。また、前記抵抗羽は、前記容器の内壁に複数の丸棒を垂直に取付けた構成であっても良い。
【０００８】
また、本発明によれば、上記紙分離装置を用いて、紙類が付着したプラスチックから紙類を分離させる紙分離方法が提供される。
【発明の効果】
【０００９】
本発明によれば、従来に比べて少ない水量で、プラスチックから紙類を効率よく分離させることができるようになる。
【発明を実施するための最良の形態】
【００１０】
以下、本発明の実施の形態を、図面を参照にして説明する。図１は、本発明の実施の形態にかかる紙分離装置１の側面図である。図２は、紙分離装置１の平面図である。図３は、紙分離装置１の内部構造を説明するための縦断面図（図１、２におけるＡ−Ａ断面図）である。
【００１１】
底面が塞がれ、上面が開口している円筒形状の容器１０の側面には、上部に水ａの供給口１１が設けられ、下部に水ａの排出口１２が設けられている。排出口１２は開閉自在であり、排出口１２を閉じて、供給口１１を通じて容器１０内に水ａを供給することにより、容器１０内に所望の量の水ａを溜めることができる。また、排出口１２を開くことにより、容器１０内に溜められた水ａを、排出口１２を通じて排出させることができる。
【００１２】
容器１０の外側には、ブラケット１３が取付けてある。このブラケット１３を利用して、紙分離装置１を所望の場所に取り付けることが可能である。
【００１３】
容器１０の内部には、攪拌羽１５が挿入されている。この攪拌羽１５は、回転駆動機構であるモータ１６によって回転させられる回転軸１７に複数の丸棒１８を取付けた構成になっている。回転軸１７は、円筒形状の容器１０の中心軸に沿って、容器１０内の中央に鉛直方向に配置されている。
【００１４】
丸棒１８は、回転軸１７に対して垂直に交差するように、複数段の高さに取付けられている。各段の丸棒１８はいずれも水平方向に沿って配置されており、かつ、上下に隣接する丸棒１８同士の中心角が９０°となるように、複数段の丸棒１８が交互に交差して設けられている。
【００１５】
容器１８の内壁には、複数の抵抗羽２０が取付けられている。これら抵抗羽２０も、丸棒によって構成されている。各抵抗羽２０は、容器１８の内壁に対して垂直に取付けられており、各抵抗羽２０は、いずれも水平方向に沿って配置されている。各抵抗羽２０は、いずれも攪拌羽１５の丸棒１８と異なる高さに配置されており、複数段に配置された丸棒１８の隙間に各抵抗羽２０が配置されている。これにより、モータ１６の駆動によって、攪拌羽１５を容器１８内で回転させた際に、丸棒１８と抵抗羽２０がぶつかることが無い。
【００１６】
以上のように構成された紙分離装置１において、紙類が付着したプラスチックを容器１８内に投入する。この場合、紙類が付着したプラスチックとして、例えば１０ｍｍ角以下に予めせん断された廃プラスチックが例示される。また、排出口１２を閉じて、供給口１１を通じて容器１０内に水ａを供給することにより、容器１０内に所望の量の水ａを溜める。この場合、容器１０内に投入したプラスチックと同重量程度の水ａを溜める。なお、容器１０内に供給する水ａは、通常の工業用水で良く、アルカリ性や酸性の水は好ましくなく、中性が良い。また、水ａの温度は、３０〜８０℃が望ましい。水ａの温度は高い方が良いが、高すぎるとプラスチックが軟化してしまう。
【００１７】
そして、モータ１６の駆動によって、攪拌羽１５を容器１８内で回転させる。これにより、丸棒１８と抵抗羽２０といった丸棒同士の攪拌作用により、容器１８内において、水ａと共にプラスチックを混ぜ合わせて、ほぼ１００％近くプラスチックと紙を分離することができる。この紙分離装置１によれば、従来に比べて少ない水量で、プラスチックから紙類を効率よく分離させることができるようになる。加える水量は、紙類付着のプラスチックに対して１．４倍以下の質量でよい。水量が少なくとも良い理由は、明らかではないが、水量が少ないことにより処理中の液の粘度を上昇させ、撹拌した際に本装置と相乗効果があるためと推測される。
【００１８】
以上、本発明の好ましい実施の形態の一例を説明したが、本発明は図示の形態に限定されない。当業者であれば、特許請求の範囲に記載された思想の範疇内において、各種の変更例または修正例に相到し得ることは明らかであり、それらについても当然に本発明の技術的範囲に属するものと了解される。
【００１９】
本発明の紙分離装置は、プラスチックに付着した種々の性質の紙類の分離の適用できる。また、例えば、容器１０内に溜めた水ａに研磨剤を添加しても良い。但し、研磨剤を添加するとプラスチックが削られるので、注意が必要である。
【実施例】
【００２０】
図１〜３で説明した紙分離装置にプラスチック破砕物：500g、水：500gを入れ、3時間攪拌した後、ろ過した。使用したプラスチックは、形状：平板状、粒度：5〜15mmの破砕物である。その結果、表１を得た。なお、攪拌時間０時間（攪拌なし）、１時間、３時間の各時点において、水プラスチックの混合物を５０ｇサンプリングし、乾燥後、目視にて、紙の付着が少しでもあるものとないものを分け、乾燥後の重量比にて剥離率（％）を求めた。
【００２１】
【表１】
2009023222.tif 000003
【産業上の利用可能性】
【００２２】
本発明は、廃棄物処理などの分野に適用できる。
【図面の簡単な説明】
【００２３】
【図１】本発明の実施の形態にかかる紙分離装置の側面図である。
【図２】紙分離装置の平面図である。
【図３】紙分離装置の内部構造を説明するための縦断面図（図１、２におけるＡ−Ａ断面図）である。
【符号の説明】
【００２４】
１  紙分離装置
１０  容器
１１  供給口
ａ  水
１２  排出口
１３  ブラケット
１５  攪拌羽
１６  モータ
１７  回転軸
１８  丸棒
２０  抵抗羽
【図１】
2009023222.tif 000004
【図２】
2009023222.tif 000005
【図３】
2009023222.tif 000006